(57)【特許請求の範囲】
【請求項１】
上面が開閉自在のカバーに覆われたスリーブと、
既設の中継光ケーブルの心線の下流側を新たに下流側に敷設した新設の中継光ケーブルの心線へと切り替える際に用いる心線切替用トレイと、
前記スリーブ内の下面に取り付けられ、前記心線切替用トレイを上面の開口側から上下方向に沿って摺動させることにより、複数積層させた状態で収納可能となるトレイ収納部と、
を備え、
前記心線切替用トレイは、ベーストレイと、当該ベーストレイの所定箇所に形成された軸止部に複数の個別トレイを回動自在に枢着させることで積層に構成可能とし、前記個別トレイのうちの１つは、前記新設の中継光ケーブルから切り出した多心のテープ心線を一時保留するための心線保留部が形成されるとともに、
前記トレイ収納部は、上面視、両端側にそれぞれ上下方向に沿って一対のレール部材が前後方向複層に取り付けられており、当該レール部材に前記ベーストレイの両端部にそれぞれ形成されたレール係合部を嵌め沿わせることで、前記心線切替用トレイを上面の開口側から上下方向に沿って摺動可能とし、前記トレイ収納部の前後両端辺には、作業台を前記トレイ収納部の外縁から外側に突出させた状態で着脱自在に取り付けられる作業台取付部が、前記端辺に沿ってそれぞれ設けられ、
前記レール部材の上方向先端には、上側に閉じた終端部が形成され、当該終端部に前記レール係合部の下方向先端近傍に形成された係止部が係止されると、当該係止部を軸として、前記心線切替用トレイが、前後方向所定範囲に回動可能に構成されることを特徴とする光ケーブル中継接続用クロージャ。
【請求項２】
前記ベーストレイのうち、上流側の所定位置に前記既設の中継光ケーブルから切り出した多心のテープ心線を保持固定する上流側心線固定部が１又は複数、下流側の所定位置に前記既設の中継光ケーブルから切り出した多心のテープ心線又は前記新設の中継光ケーブルから切り出した多心のテープ心線の何れも保持固定可能な下流側心線固定部が１又は複数形成されていることを特徴とする請求項１記載の光ケーブル中継接続用クロージャ。
【請求項３】
前記ベーストレイには、前記上流側心線固定部に保持固定されたテープ心線を前記ベーストレイ上で下流側へと引き通すテープ心線引き通しレーンが形成され、さらに、前記上流側心線固定部、前記下流側心線固定部及びテープ心線引き通しレーンの何れも覆える心線保護カバーが、前記心線切替用トレイに取り付けられていることを特徴とする請求項１又は２記載の光ケーブル中継接続用クロージャ。
【請求項４】
前記テープ心線は、前記上流側心線固定部又は下流側心線固定部から前記中継光ケーブルまでの間にかけて、その外周囲を保護チューブにより保護されており、当該保護チューブの終端部近傍にて、前記上流側心線固定部又は下流側心線固定部にそれぞれ保持固定されていることを特徴とする請求項１〜３何れか１項記載の光ケーブル中継接続用クロージャ。
【請求項５】
前記ベーストレイには、その側面部側の所定位置に前記テープ心線引き通しレーンからテープ心線を外部に引き出し可能な心線引き出し口が形成されているとともに、当該心線引き出し口の開口両端部にそれぞれ形成された突起部に軸支され、当該突起部を軸中心に回動することによって、前記心線引き出し口を開閉可能にする引き通し心線保護カバーが取り付けられていることを特徴とする請求項１〜４何れか１項記載の光ケーブル中継接続用クロージャ。
【請求項６】
前記個別トレイには、テープ心線同士を接続させるために用いる心線接続コネクタを収納可能な心線接続コネクタ収納部が形成されていることを特徴とする請求項１〜５何れか１項記載の光ケーブル中継接続用クロージャ。
【発明の詳細な説明】
【技術分野】
【０００１】
本発明は、光ファイバ心線を有する光ケーブルの中継接続のために用いられるもので、特に、設置現場において、光ケーブルの中継接続の新旧切替作業などが容易にできるとともに、光ファイバ心線の保護にも適した光ケーブル中継接続用クロージャに関するものである。
【背景技術】
【０００２】
従来から、光ケーブルの心線の接続に用いられているクロージャは、作業効率や安全面等々から様々な改良がされてきている。例えば、特許文献１に開示されているように、心線の接続や収納等に用いられる個別のトレイを複数枚積層させ、それらを回動自在に連結させたものを複数段に積層させた状態でトレイ収納ケースに収納するといった技術を適用したクロージャがある。
【０００３】
また、例えば、特許文献２に開示されているように、複数のトレイがトレイ収納ケースに積層された状態で収納されていて、これら個々のトレイにおいて心線の接続作業を行う際には、対象のトレイを作業面側へスライドさせる構成となっている。
【０００４】
さらに、特許文献３に開示されているように、内部に配置される複数のトレイが、それぞれ係止部に回動自在に枢着されることで積層されているといった構成のクロージャもあり、これによれば、作業したいトレイとその作業面に対向する多のトレイをお互い反対方向へと回動させれば、作業スペースを確保することができ、作業の度にトレイを引き出す必要が無くなるとしている。
【先行技術文献】
【特許文献】
【０００５】
【特許文献１】特開２０１２−８６０２号公報
【特許文献２】特開２００７−１４７８７６号公報
【特許文献３】特開２０１３−１１３８９２号公報
【発明の概要】
【発明が解決しようとする課題】
【０００６】
しかしながら、特許文献１や３に開示されている技術は、作業時にトレイを作業面前後方向に回動させる構成であるため、作業スペースが狭いトレイ同士間となってしまうという問題、さらに、トレイの下側に引き通されている心線の確認等を行う際には、作業者は、目視をするためにクロージャの下側に潜り込むような姿勢をとらなくてはならず、作業がやりにくいといった指摘があった。また、トレイが回動自在であることから、トレイの安定性という面でさらなる改善が必要ではないかとも言われている。
【０００７】
そして、特許文献２に開示されている技術は、作業時にトレイを引き出さなくてはならないため、引き出し時に光ケーブルの心線の断線に細心の注意が必要であるため、作業の煩雑さを助長してしまう可能性がある。さらに、実際の作業では、引き出したトレイを別のスペースに置く必要があるため、狭い作業環境でスペースを確保しなければならないという問題もある。
【０００８】
また、図１０に示すような、従来の光ケーブルの中継接続に用いられるクロージャ８０も、接続トレイ８２を矢印方向に取り出して作業台に載せ、作業を行うものであるが、作業途中に接続トレイ８２を落としたりすると、瞬断を起こす危険性がある。さらに、このようなクロージャ８０は、光ケーブルＡから引き剥がしたテープ心線Ｂを保護するためのスパイラルチューブ８４、分岐に用いられる分岐部８６、そして、分岐部８６に分岐された後の下流側の角チューブ８８と、使用しなくてはならず、部品コストが高くなってしまっていた。
【０００９】
その他、図１０に示すように、スパイラルチューブ８４や分岐部８６を構造上、クロージャ１０の底面側に配置しなくてはならないため、作業が非常にやりにくいとされている。このように、光ケーブルの中継接続に用いる場合には、心線の断線は、重大な障害に繋がってしまうため、トレイ引き出し時の心線の断線防止や、トレイでの引き通し時の心線の保護に優れたトレイ構造をもったクロージャを開発することが喫緊の課題となっていた。
【００１０】
本発明は、上述の問題を解決するためのもので、心線の接続作業がしやすく、さらに、心線の保護、取扱いに細心の注意を払う必要がある現場で好適に用いることができ、また、製造コストも抑えることができる光ケーブル中継接続用クロージャを提供することを目的としている。
【課題を解決するための手段】
【００１１】
上述の課題に対応するため、本発明は、以下の技術的手段を講じている。
即ち、請求項１記載の発明は、上面が開閉自在のカバーに覆われたスリーブと、既設の中継光ケーブルの心線の下流側を新たに下流側に敷設した新設の中継光ケーブルの心線へと切り替える際に用いる心線切替用トレイと、前記スリーブ内の下面に取り付けられ、前記心線切替用トレイを上面の開口側から上下方向に沿って摺動させることにより、複数積層させた状態で収納可能となるトレイ収納部と、を備え、前記心線切替用トレイは、ベーストレイと、当該ベーストレイの所定箇所に形成された軸止部に複数の個別トレイを回動自在に枢着させることで積層に構成可能とし、前記個別トレイのうちの１つは、前記新設の中継光ケーブルから切り出した多心のテープ心線を一時保留するための心線保留部が形成されるとともに、前記トレイ収納部は、上面視、両端側にそれぞれ上下方向に沿って一対のレール部材が前後方向複層に取り付けられており、当該レール部材に前記ベーストレイの両端部にそれぞれ形成されたレール係合部を嵌め沿わせることで、前記心線切替用トレイを上面の開口側から上下方向に沿って摺動可能とし、前記トレイ収納部の前後両端辺には、作業台を前記トレイ収納部の外縁から外側に突出させた状態で着脱自在に取り付けられる作業台取付部が、前記端辺に沿ってそれぞれ設けられ、前記レール部材の上方向先端には、上側に閉じた終端部が形成され、当該終端部に前記レール係合部の下方向先端近傍に形成された係止部が係止されると、当該係止部を軸として、前記心線切替用トレイが、前後方向所定範囲に回動可能に構成されることを特徴とする光ケーブル中継接続用クロージャである。
【００１２】
また、請求項２記載の発明は、請求項１記載の光ケーブル中継接続用クロージャであって、前記ベーストレイのうち、上流側の所定位置に前記既設の中継光ケーブルから切り出した多心のテープ心線を保持固定する上流側心線固定部が１又は複数、下流側の所定位置に前記既設の中継光ケーブルから切り出した多心のテープ心線又は前記新設の中継光ケーブルから切り出した多心のテープ心線の何れも保持固定可能な下流側心線固定部が１又は複数形成されていることを特徴としている。
【００１３】
そして、請求項３記載の発明は、請求項１又は２記載の光ケーブル中継接続用クロージャであって、前記ベーストレイには、前記上流側心線固定部に保持固定されたテープ心線を前記ベーストレイ上で下流側へと引き通すテープ心線引き通しレーンが形成され、さらに、前記上流側心線固定部、前記下流側心線固定部及びテープ心線引き通しレーンの何れも覆える心線保護カバーが、前記心線切替用トレイに取り付けられていることを特徴としている。
【００１４】
また、請求項４記載の発明は、請求項１〜３何れか１項記載の光ケーブル中継接続用クロージャであって、前記テープ心線は、前記上流側心線固定部又は下流側心線固定部から前記中継光ケーブルまでの間にかけて、その外周囲を保護チューブにより保護されており、当該保護チューブの終端部近傍にて、前記上流側心線固定部又は下流側心線固定部にそれぞれ保持固定されていることを特徴としている。
【００１５】
次に、請求項５記載の発明は、請求項１〜４何れか１項記載の光ケーブル中継接続用クロージャであって、前記ベーストレイには、その側面部側の所定位置に前記テープ心線引き通しレーンからテープ心線を外部に引き出し可能な心線引き出し口が形成されているとともに、当該心線引き出し口の開口両端部にそれぞれ形成された突起部に軸支され、当該突起部を軸中心に回動することによって、前記心線引き出し口を開閉可能にする引き通し心線保護カバーが取り付けられていることを特徴としている。
【００１７】
また、請求項６記載の発明は、請求項１〜５何れか１項記載の光ケーブル中継接続用クロージャであって、前記個別トレイには、テープ心線同士を接続させるために用いる心線接続コネクタを収納可能な心線接続コネクタ収納部が形成されていることを特徴としている。
【発明の効果】
【００１９】
本発明によると、心線切替用トレイをトレイ収納部から引き出した際に、レール部材の終端で止まるように構成されているため、引き出し過ぎによる心線の断線等を防ぐことが可能となる。また、レール部材の終端で心線切替用トレイを作業面の前後方向に回動可能となっているため、トレイに対する作業がしやくす、また、トレイ収納部に収納された状態では、見えにくい心線切替用トレイの下側へのアクセスが容易なものとなり、作業が簡便に行うことができる。
【００２０】
またさらに、心線切替用トレイを構成するベーストレイの上流側及び下流側に心線固定部が形成されているため、中継光ケーブルから切り出した多心のテープ心線を分岐させる分岐部材や、分岐後の別チューブ等を必要としないため、部品数を減らすことができ、製造コストを抑えることができる。さらに、テープ心線を一旦クロージャの底面側に回す必要がなくなるため、作業者のチェック作業の労力を大幅に省くことが可能となる。
【００２１】
そして、多心のテープ心線が、中継光ケーブルから心線固定部までの間、保護チューブにより保護されており、また、その保護チューブの終端近傍で、心線固定部に保持固定される構成となるため、接続作業の工程を大幅に削減させることが可能となる。
【００２２】
さらに、心線固定部や、テープ心線引き通しレーンを覆うことができる心線保護カバーをベーストレイに取り付けることができるため、中継接続されているテープ心線の外部からの衝撃等に起因する断線から保護することが可能となる。また、その心線保護カバーをベーストレイに形成された固定部に固定することで、ベーストレイの外縁から外側に突出させた状態に保つことができるので、トレイ収納部の一番端に収納されているトレイに対して作業を行う際に、この心線保護カバーを作業台の代わりに用いることが可能となる。
【００２３】
そして、ベーストレイに心線引き出し口が形成されているとともに、この心線引き出し口を開閉する引き通し心線保護カバーが取り付けられているため、作業時以外には、引き通し心線保護カバーを閉じた状態でテープ心線を保護し、作業時には、引き通し心線保護カバーを開いて、テープ心線を引き出すというように、保護と作業効率という面で好適に用いることが可能となる。
【図面の簡単な説明】
【００２４】
【図１】本発明に係る光ケーブル中継接続用クロージャの実施形態を示した図で、（ａ）は平面図、（ｂ）は正面図、（ｃ）は左側面図（ｄ）は斜視図である。
【図２】本発明に係る光ケーブル中継接続用クロージャの実施形態において、心線切替用トレイをトレイ収納部から引き出した状態を示した図で、（ａ）は平面図、（ｂ）は正面図、（ｃ）は左側面図（ｄ）は斜視図である。
【図３】本発明に係る光ケーブル中継接続用クロージャの実施形態において、心線切替用トレイをトレイ収納部から引き出し、作業側の前方向に倒した状態を示した図で、（ａ）は平面図、（ｂ）は正面図、（ｃ）は左側面図（ｄ）は斜視図である。
【図４】本発明に係る光ケーブル中継接続用クロージャの実施形態において用いられる心線切替用トレイを示した図で、（ａ）は平面図、（ｂ）は正面図、（ｃ）は左側面図、（ｄ）は背面図、（ｅ）斜視図である。
【図５】本発明に係る光ケーブル中継接続用クロージャの実施形態において用いられる心線切替用トレイであって、ベーストレイを開いた状態示した図で、（ａ）は平面図、（ｂ）は正面図、（ｃ）は左側面図、（ｄ）は背面図、（ｅ）斜視図である。
【図６】本発明に係る光ケーブル中継接続用クロージャの実施形態において用いられる心線保護カバーを示した図で、（ａ）は平面図、（ｂ）は正面図、（ｃ）は左側面図、（ｄ）は背面図、（ｅ）は底面図、（ｆ）は斜視図である。
【図７】本発明に係る光ケーブル中継接続用クロージャの実施形態において、心線切替用トレイに心線保護カバーを覆った状態を示した図で、（ａ）は平面図、（ｂ）は正面図、（ｃ）は左側面図、（ｄ）背面図、（ｅ）は斜視図である。
【図８】本発明に係る光ケーブル中継接続用クロージャの実施形態において用いられる作業台を示した図で、（ａ）は平面図、（ｂ）は正面図、（ｃ）は右側面図、（ｄ）は斜視図である。
【図９】本発明に係る光ケーブル中継接続用クロージャの実施形態において、心線切替用トレイ上の配線状態を示した図で、（ａ）は接続点がある場合の配線、（ｂ）は接続点がない場合の配線を示した平面図である。
【図１０】従来の光ケーブル中継接続に用いられていたクロージャでの中継接続の概略を示した図である。
【図１１】中継光ケーブルの新旧切替作業のイメージ図である。
【図１２】本発明に係る光ケーブル中継接続用クロージャの実施形態において用いられる心線切替用トレイであって、ベーストレイ及び個別トレイをそれぞれ開いた状態示した斜視図である。
【図１３】本発明に係る光ケーブル中継接続用クロージャの実施形態において用いられる心線切替用トレイの配線状態を示した図である。
【図１４】本発明に係る光ケーブル中継接続用クロージャの実施形態において用いられる心線切替用トレイであって、心線保護カバーを取り付ける状態を示したもので、（ａ）は軸支部反対側からの斜視図、（ｂ）は軸支部側からの斜視図である。
【発明を実施するための形態】
【００２５】
本発明に係る光ケーブル中継接続用クロージャの実施形態について図１〜７を参照しながら説明する。図１は、本発明に係る光ケーブル中継接続用クロージャの実施形態を示した図で、（ａ）は平面図、（ｂ）は正面図、（ｃ）は左側面図（ｄ）は斜視図で、図２は、本発明に係る光ケーブル中継接続用クロージャの実施形態において、心線切替用トレイをトレイ収納部から引き出した状態を示した図で、（ａ）は平面図、（ｂ）は正面図、（ｃ）は左側面図（ｄ）は斜視図である。
【００２６】
さらに、図３は、本発明に係る光ケーブル中継接続用クロージャの実施形態において、心線切替用トレイをトレイ収納部から引き出し、作業側の前方向に倒した状態を示した図で、（ａ）は平面図、（ｂ）は正面図、（ｃ）は左側面図（ｄ）は斜視図で、図４は、本発明に係る光ケーブル中継接続用クロージャの実施形態において用いられる心線切替用トレイを示した図で、（ａ）は平面図、（ｂ）は正面図、（ｃ）は左側面図、（ｄ）は背面図、（ｅ）斜視図である。
【００２７】
そして、図５は、本発明に係る光ケーブル中継接続用クロージャの実施形態において用いられる心線切替用トレイであって、ベーストレイを開いた状態示した図で、（ａ）は平面図、（ｂ）は正面図、（ｃ）は左側面図、（ｄ）は背面図、（ｅ）斜視図で、図６は、本発明に係る光ケーブル中継接続用クロージャの実施形態において用いられる心線保護カバーを示した図で、（ａ）は平面図、（ｂ）は正面図、（ｃ）は左側面図、（ｄ）は背面図、（ｅ）は底面図、（ｆ）は斜視図である。
【００２８】
さらに、図７は、本発明に係る光ケーブル中継接続用クロージャの実施形態において、心線切替用トレイに心線保護カバーを覆った状態を示した図で、（ａ）は平面図、（ｂ）は正面図、（ｃ）は左側面図、（ｄ）背面図、（ｅ）は斜視図で、図８は、本発明に係る光ケーブル中継接続用クロージャの実施形態において用いられる作業台を示した図で、（ａ）は平面図、（ｂ）は正面図、（ｃ）は右側面図、（ｄ）は斜視図である。
【００２９】
そして、図９は、本発明に係る光ケーブル中継接続用クロージャの実施形態において、心線切替用トレイ上の配線状態を示した図で、（ａ）は接続点がある場合の配線、（ｂ）は接続点がない場合の配線を示した平面図で、図１２は、本発明に係る光ケーブル中継接続用クロージャの実施形態において用いられる心線切替用トレイであって、ベーストレイ及び個別トレイをそれぞれ開いた状態示した斜視図である。
【００３０】
また、図１４は、本発明に係る光ケーブル中継接続用クロージャの実施形態において用いられる心線切替用トレイであって、心線保護カバーを取り付ける状態を示したもので、（ａ）は軸支部反対側からの斜視図、（ｂ）は軸支部側からの斜視図である。
【００３１】
なお、１０は光ケーブル中継接続用クロージャ、１２はカバー、１４掛け金部材、１６はスリーブ、１８は心線切替用トレイ、２０はトレイ収納部、２２はベーストレイ、２４は軸止部、２６は個別トレイ、２８はレール部材、３０はレール係合部、３２は終端部、３４は係止部、３６は上流側心線固定部、３８は下流側心線固定部、４０はテープ心線引き通しレーン、４２は心線保護カバー、４４は心線保護カバー固定部、４６は保護チューブ、４８は保護チューブ終端部、５０は心線引き出し口、５２は突起部、５４は引き通し心線保護カバー、５６は心線保留部、５８は心線接続コネクタ、６０は心線接続コネクタ収納部、６２は作業台、６４は引っ掛け部、６６は作業台取付部、６８はカバー引っ掛け部、７０はカバー留め部、７２は分岐部材、７４は角チューブ、Ａは光ケーブル、Ｂはテープ心線、Ｃは心線を示している。
【００３２】
図１に示すように、本実施形態における光ケーブル中継接続用クロージャ１０は、まず、上面が開閉自在のカバー１２に覆われたスリーブ１６と、既設の中継光ケーブルの心線の下流側を新たに下流側に敷設した新設の中継光ケーブルの心線へと切り替える際に用いる心線切替用トレイ１８と、スリーブ１６内の下面に取り付けられ、心線切替用トレイ１８を上面の開口側から上下方向に沿って摺動させることにより、複数積層させた状態で収納可能となるトレイ収納部２０を備えている。なお、カバー１２は、スリーブ１６に設けられている掛け金部材１４によりロックされることでスリーブ１６を上面から覆うようになっている。
【００３３】
続いて、図４、図５及び図１２に示すように、心線切替用トレイ１８は、ベーストレイ２２と、ベーストレイ２２の所定箇所に形成された軸止部２４に複数個別トレイ２６を回動自在に枢着させることで積層に構成されている。そして、図１に示すように、トレイ収納部２０は、上面視、両端側にそれぞれ上下方向に沿って一対のレール部材２８が前後方向複層に取り付けられており、このレール部材２８にベーストレイ２２の両端側に形成されたレール係合部３０を嵌め合わせることで、心線切替用トレイ１８を上面の開口側から上下方向に沿って摺動可能としている。
【００３４】
そして、レール部材２８の上方向先端には、上側に閉じた終端部３２が形成され、この終端部３２に、レール係合部３０の下方向先端近傍に形成された係止部３４が係止されると、図２及び図３に示すように、この係止部３４を軸として、心線切替用トレイ１８が、前後方向所定範囲に回動自在となるよう構成となっている。このような構成であるため、心線切替用トレイ１８に対する作業がしやすく、心線の断線等の事故が起こりにくいため、中継接続等のシビアな作業・管理が必要な環境において、非常に好適なものとなる。
【００３５】
続いて、図９、図１１及び図１（ａ）を参照しながら、本実施形態における配線状態を説明する。まず、光ケーブルの中継接続において、新旧切替作業を行う場合は、例えば、図１１に示すように、当初から接続点がある場合（クロージャが既設）、そして、接続点がない場合（クロージャを新たに設置）が考えられる。
【００３６】
ここで、接続点がある場合は、心線を既設から新設へと徐々に切り替えて、全ての心線を切り替えた後、既設のケーブルを撤去する工程を踏む。また、接続点がない場合は、既設ケーブルの外被を剥いで心線を露出させ、新規にクロージャを取り付け、その後、心線を切り替えていき、全ての心線を切り替えた後、既設のケーブルを途中でカットして撤去する工程を踏む。
【００３７】
図１（ａ）に示すように、上流側の光ケーブルＡは、光ケーブル中継接続用クロージャ１０左側面から挿入固定され、この上流側の光ケーブルＡから引き出された中継接続される上流側のテープ心線Ｂは、５テープを１つの単位として、保護チューブ４６（スパイラルチューブ）に保護されながら、１つの心線切替用トレイ１８に配線される。なお、上記テープ数は、心線切替用トレイ１８の積層されているトレイ数に応じたものであって、その数は、任意に設定すればよいものである。
【００３８】
次に、心線切替用トレイ１８上での配線は、図９（ａ）に示すように、当初から接続点がある場合（クロージャが既設）は、上流側からの心線Ｃが、心線接続コネクタ収納部６０に収納されている心線接続コネクタ５８により接続され、下流側へと通されている。一方で、新設（切替）の下流側からの心線Ｃは、一旦、ベーストレイ２２に積層された個別トレイ２６の最上層に形成された心線保留部５６に保留させておき、切り替え作業を行う際に、該当する心線Ｃを個別に取り出し、既設の心線Ｃと切り替えていくといった工程を踏む。
【００３９】
続いて、図９（ｂ）に示すように、接続点がない場合（クロージャを新たに設置）は、上流側の心線Ｃが光が通っている心線であるため、一旦、テープ心線引き通しレーン４０を下流側へと通しておく。また、新設（切替）の下流側からの心線Ｃは、テープ心線Ｂの１テープ毎、各層の個別トレイ２６へと配線させておく。そして、切り替え作業を行う際に、該当する心線Ｃを個別に取り出し、既設から新設の心線Ｃへと、切り替えていくといった工程を踏む。
【００４０】
なお、図１（ａ）に示すように、心線切替用トレイ１８において切替接続された下流側のテープ心線Ｂも、上流側の光ケーブルＡから引き出されたもので、５テープを１つの単位として、保護チューブ４６（スパイラルチューブ）に保護されているものである。
【００４１】
次に、心線切替用トレイ１８について、より詳細に説明していく。心線切替用トレイ１８は、図５及び図１２に示すように、ベーストレイ２２と、ベーストレイ２２の上端側に形成された軸止部２４に複数の個別トレイ２６を回動自在に枢着させることで積層に構成している。そして、本実施形態では、この積層された状態を１つの心線切替用トレイ１８として、複数個、トレイ収納部２０に収納させている。
【００４２】
ここで、トレイ収納部２０は、図１に示すように、上面視、両端側にそれぞれ上下方向に沿って一対のレール部材２８が前後方向複層に取り付けられており、このレール部材２８にベーストレイ２２の両端側に形成されたレール係合部３０（図４参照）を嵌め合わせることで心線切替用トレイ１８を収納している。
【００４３】
次に、レール部材２８の上方向先端には、図１（ｃ）に示すように、上側に閉じた終端部３２が形成され、この終端部３２に、レール係合部３０の下方向先端近傍に形成された係止部３４（図４（ａ）参照）が係止されると、この係止部３４を軸として、心線切替用トレイ１８が、前後方向所定範囲に回動自在となるよう構成となっている。
【００４４】
そして、トレイ収納部２０に収納されている心線切替用トレイ１８に対する作業は、まず、図２に示すように、心線切替用トレイ１８を上面の開口側から上下方向に沿って摺動させて、トレイ収納部２０外へと露出させ、続いて、図３に示すように、心線切替用トレイ１８を作業者側（前方向側）に係止部３４を軸として回動させながら前倒して行う。
【００４５】
なお、一番前方側の心線切替用トレイ１８は、前方向に抑えがないため、図３に示すように、作業台６２をトレイ収納部２０に取り付け、その作業台６２上に心線切替用トレイ１８を載せ、作業を行うようにするのが好ましい。このような構成を採ることにより、心線切替用トレイ１８に対する作業がしやすいため、心線の断線等の事故が起こりにくく、中継接続等のシビアな作業・管理が必要な環境において、非常に好適なものとなる。
【００４６】
ここで、作業台６２は、図８に示す上面が平らな形状となっており、長手方向の一辺側に形成されている引っ掛け部６４をトレイ収納部２０の前後方向の両端辺に沿って形成された作業台取付部６６に引っ掛け、取り付けることで、作業台６２をトレイ収納部２０の外縁から外側に突出させた状態におくことができるようになっている（図２及び図３参照）。
【００４７】
続いて、心線切替用トレイ１８は、図４、図５及び図１３に示すように、ベーストレイ２２の上端側の上流側には、上流側心線固定部３６が形成されており、下流側には、下流側心線固定部３８が形成されている。本実施形態では、それぞれ２箇所形成されているが、この数は、任意である。
【００４８】
図１３に示すように、上流側心線固定部３６には、上流側の既設の光ケーブルＡから切り出した多心のテープ心線Ｂを保持固定し、下流側心線固定部３８は、下流側の既設の光ケーブルＡから切り出した多心のテープ心線Ｂ又は、新設の光ケーブルＡから切り出した多心のテープ心線Ｂのうち、何れも保持固定するものである。ここで、テープ心線Ｂは、図４及び図１３に示すように、保護チューブ４６（スパイラルチューブ）に保護されており、その終端部近傍にて、上流側心線固定部３６及び下流側心線固定部３８それぞれに保持固定されるようになっている。
【００４９】
次に、心線切替用トレイ１８は、図４、図５及び図１３に示すように、上流側心線固定部３６に保持固定されたテープ心線Ｂを下流側へと引き通すテープ心線引き通しレーン４０が、ベーストレイ２２の上端側に形成され、さらに、図７及び図１４に示すように、上流側心線固定部３６、下流側心線固定部３８、テープ心線引き通しレーン４０を全てを上面側から覆うことができる心線保護カバー４２が、着脱自在に取り付けられている。
【００５０】
このように、作業時以外は、心線保護カバー４２を取り付けておくことで、テープ心線Ｂや心線Ｃの外的損傷等を防ぐことが可能となるわけである。なお、心線保護カバー４２は、図６に示すように、略板状となっており、本実施形態においては、カバー引っ掛け部６８を図４（ａ）及び図１４に示す積層された個別トレイ２６の最上層のトレイに形成されたカバー留め部７０に引っ掛けることで心線切替用トレイ１８に固定できるようになっている。
【００５１】
続いて、個別トレイ２６の最上層に固定された心線保護カバー４２は、この最上層の個別トレイ２６を軸止部２４を軸中心に開けた際に、個別トレイ２６とともに同方向に向かって倒れることになるが、このように構成することによって、個別トレイ２６を所定位置にて維持できるように保持する役割を果たすことが可能となっている。
【００５２】
そして、ベーストレイ２２には、図４（ａ）及び図１４に示すように、その上端側側面部にテープ心線引き通しレーン４０からテープ心線Ｂを外部に引き出し可能な心線引き出し口５０が形成されており、さらに、心線引き出し口５０の開口両端部にそれぞれ形成された突起部５２に軸支され、この突起部５２を軸中心に回動することで、心線引き出し口５０を開閉可能にする引き通し心線保護カバー５４が取り付けられている。このような構成を採っているため、作業時以外は、引き通し心線保護カバー５４により心線が保護された状態にでき、作業時は、引き通し心線保護カバー５４を開くだけで良く、作業効率の飛躍的な向上に繋がる。
【産業上の利用可能性】
【００５３】
本発明に係る光ケーブル中継接続用クロージャは、心線の接続作業がしやすく、さらに、心線の保護、取扱いに細心の注意を払う必要がある現場で好適に用いることができ、また、製造コストも抑えることができるものである。
【符号の説明】
【００５４】
１０  光ケーブル中継接続用クロージャ
１２  カバー
１４  け金部材
１６  スリーブ
１８  心線切替用トレイ
２０  トレイ収納部
２２  ベーストレイ
２４  軸止部
２６  個別トレイ
２８  レール部材
３０  レール係合部
３２  終端部
３４  係止部
３６  上流側心線固定部
３８  下流側心線固定部
４０  テープ心線引き通しレーン
４２  心線保護カバー
４４  心線保護カバー固定部
４６  保護チューブ
４８  保護チューブ終端部
５０  心線引き出し口
５２  突起部
５４  引き通し心線保護カバー
５６  心線保留部
５８  心線接続コネクタ
６０  心線接続コネクタ収納部
６２  作業台
６４  引っ掛け部
６６  作業台取付部
６８  カバー引っ掛け部
７０  カバー留め部
Ａ  光ケーブル
Ｂ  テープ心線
Ｃ  心線
【図１】
0006415354.tif 000002
【図２】
0006415354.tif 000003
【図３】
0006415354.tif 000004
【図４】
0006415354.tif 000005
【図５】
0006415354.tif 000006
【図６】
0006415354.tif 000007
【図７】
0006415354.tif 000008
【図８】
0006415354.tif 000009
【図９】
0006415354.tif 000010
【図１０】
0006415354.tif 000011
【図１１】
0006415354.tif 000012
【図１２】
0006415354.tif 000013
【図１３】
0006415354.tif 000014
【図１４】
0006415354.tif 000015